(57)【要約】【課題】シート表面の一部を面状に光らせて意匠性を向上させた乗物用シートを提供すること。【解決手段】自動車用シート１は、バックパッド２０と、バックパッド２０を覆うバックカバー３０と、を備えている。バックパッド２０には、着座者側の表面に開口部２５１を有する凹部２５が設けられており、凹部２５内には発光ダイオード４２２が配設され、開口部２５１は半透明樹脂板４３で覆われている。バックカバー３０の少なくとも開口部２５１に対応する位置には、発光ダイオード４２２から発せられる光の一部を透過させる光透過性表皮３２２が配設されている。【選択図】図３
2017013735.tif 000002
【特許請求の範囲】
【請求項１】
乗物用シートであって、
シートパッドと、該シートパッドを覆うシートカバーと、を備えており、
前記シートパッドには、着座者側の表面に開口部を有する凹部が設けられており、該凹部内には発光ダイオードが配設され、前記開口部は半透明樹脂板で覆われており、
前記シートカバーの少なくとも前記開口部に対応する位置には、前記発光ダイオードから発せられる光の一部を透過させる光透過性表皮が配設されている乗物用シート。
【請求項２】
請求項１において、
前記光透過性表皮は、布帛体と発泡性樹脂シートとのラミネート構造体である乗物用シート。
【請求項３】
請求項１又は請求項２において、
前記凹部は溝状であり、その長手方向に対して垂直な面で切った断面が略Ｕ字状であり、
前記凹部の底面部及び両側面部が、光反射部材により覆われており、
前記複数の発光ダイオードが、前記底面部及び／又は前記両側面部に配設されている乗物用シート。
【請求項４】
請求項３において、
前記複数の発光ダイオードが、前記両側面部の前記底面部寄りに配設されている乗物用シート。
【発明の詳細な説明】
【技術分野】
【０００１】
本発明は、乗物用シートに関する。
【背景技術】
【０００２】
発光ダイオードを備えた乗物用シートが知られている。特許文献１に開示された発明では、シートのクッションパッドの座面寄りに発光ダイオードを埋め込んでシートの空調装置のＯＮ、ＯＦＦに連動して点灯消灯させることにより、シートの冷暖房の状態を表示する装置が開示されている。
【先行技術文献】
【特許文献】
【０００３】
【特許文献１】特開２０１１−２４８１６５号公報
【発明の概要】
【発明が解決しようとする課題】
【０００４】
特許文献１に開示された発明では、発光ダイオードの光が直接的にクッションカバーを透過するため、点状の光として外部に放たれることになる。このため、シートの冷暖房の状況は発光ダイオードの点灯消灯により認知できるが、シート表面の一部を面状に光らせて意匠性を高めるという要望には応えられないものであった。
【０００５】
このような問題に鑑み、本発明の課題は、シート表面の一部を面状に光らせて意匠性を向上させた乗物用シートを提供することである。
【課題を解決するための手段】
【０００６】
本発明の第１発明は、乗物用シートであって、シートパッドと、該シートパッドを覆うシートカバーと、を備えており、前記シートパッドには、着座者側の表面に開口部を有する凹部が設けられており、該凹部内には発光ダイオードが配設され、前記開口部は半透明樹脂板で覆われており、前記シートカバーの少なくとも前記開口部に対応する位置には、前記発光ダイオードから発せられる光の一部を透過させる光透過性表皮が配設されていることを特徴とする。
【０００７】
第１発明によれば、発光ダイオードからの光が、半透明樹脂板によって面状に拡散させられたのちに、光透過性表皮を透過してシート外部に放たれる。これによって、シート表面の一部を面状に光らせて意匠性を向上させることができる。
【０００８】
本発明の第２発明は、第１発明において、前記光透過性表皮は、布帛体と発泡性樹脂シートとのラミネート構造体であることを特徴とする。
【０００９】
第２発明によれば、乗物用シートに着座した着座者の身体が半透明樹脂板の上に来た場合でも、光透過性表皮の発泡性樹脂シートにより着座者の身体が柔らかい感触で支えられることになる。このため、乗り心地悪化を抑制することができる。
【００１０】
本発明の第３発明は、第１発明又は第２発明において、前記凹部は溝状であり、その長手方向に対して垂直な面で切った断面が略Ｕ字状であり、前記凹部の底面部及び両側面部が、光反射部材により覆われており、前記複数の発光ダイオードが、前記底面部及び／又は前記両側面部に配設されていることを特徴とする。
【００１１】
第３発明によれば、光反射部材による反射効果により発光ダイオードの光が効率的に半透明樹脂板に集められるため、シート外部に放たれる面状の光を効率的に明るくして、より意匠性を高めることができる。
【００１２】
本発明の第４発明は、第３発明において、前記複数の発光ダイオードが、前記両側面部の前記底面部寄りに配設されていることを特徴とする。
【００１３】
第４発明によれば、複数の発光ダイオードが半透明樹脂板から離隔して位置されることになるため、半透明樹脂板をより均一に面発光させて意匠性をさらに高めることができる。
【図面の簡単な説明】
【００１４】
【図１】本発明の一実施形態である自動車用シートの正面図である。
【図２】図１のＩＩ−ＩＩ矢視線断面図である。
【図３】図２の部分ＩＩＩの拡大図である。
【発明を実施するための形態】
【００１５】
図１〜図３は、本発明の一実施形態を示す。本実施形態は、自動車用シートのシートバックに本発明を適用した例を示す。各図中、矢印により自動車用シートを自動車に取付けたときの自動車の各方向を示している。以下の説明において、方向に関する記述は、この方向を基準として行うものとする。
【００１６】
図１に示すように、自動車用シート１は、シートバック１０と、シートクッション２と、ヘッドレスト３と、を備えている。シートバック１０は、骨格部材である金属製のバックフレーム（図示しない）の上に、クッション材であるバックパッド２０を載置して、その上から表皮材であるバックカバー３０で覆った構造をしている。
【００１７】
図１及び図２に示すように、バックパッド２０は、シートバック１０の左右方向中央部に配設されるメイン部２１と、メイン部２１の左右両側に配設されるサイド部２２と、を備えている。メイン部２１の前側表面部は左右方向に延びているが、サイド部２２の前側表面部はシート幅方向内側の端部から外側に向かうにつれて前方に突出するように傾斜して延びている。メイン部２１の前側表面部とサイド部２２の前側表面部との境界部分には、縦溝部２６が設けられている。
【００１８】
図１及び図２に示すように、バックパッド２０のサイド部２２には、凹部２５が設けられている。凹部２５はサイド部２２の前側表面部に開口部２５１を有しており、縦溝部２６よりも若干シート幅方向外側に位置して上下方向に延びる溝状に形成されている。凹部２５は、水平な面で切った断面が前方に開口する略Ｕ字状になっており、底面部２５２と、底面部２５２の左右両側から前方に立設された側面部２５３と、を備えている。底面部２５２は、バックパッド２０のメイン部２１の前側表面部に対して左右方向において略平行に延びている。上記したように、バックパッド２０のサイド部２２の前側表面部はシート幅方向内側の端部から外側に向かうにつれて前方に突出するように傾斜して延びているため、シート幅方向外側の側面部２５３が、シート幅方向内側の側面部２５３よりも前後方向に長く延びている。
【００１９】
図２及び図３に示すように、バックパッド２０の凹部２５には、照明ユニット４０が配設されている。照明ユニット４０は、光反射部材４１と、ＬＥＤテープ４２と、半透明樹脂板４３と、を備えている。光反射部材４１は、厚さ１ミリメートル程度のＡＢＳ樹脂製の板をバックパッド２０の凹部２５に対応する形状に熱成形した長尺な部材であり、凹部２５の底面部２５２を覆う底壁部４１２と、側面部２５３を覆う側壁部４１３と、を備えている。また、光反射部材４１は、光を反射させ易くするために内面が白色に塗装されている。ＬＥＤテープ４２は、長尺で柔軟なテープ状基板４２１に対して約８ミリメートル間隔で表面実装タイプの発光ダイオード４２２を取付けた構造をしている。ＬＥＤテープ４２は、光反射部材４１の両側壁部４１３の長手方向に沿って、両側壁部４１３の底壁部４１２寄りの部位に対して貼着されている。半透明樹脂板４３は、厚さ２ミリメートル程度の半透明乳白色のアクリル樹脂製の板を、バックパッド２０の凹部２５の開口部２５１に対応する形状に熱成形したのちにトリミングした長尺な部材である。光反射部材４１に対してＬＥＤテープ４２を取付けたのち、光反射部材４１の両側壁部４１３の前端末部と半透明樹脂板４３の左右両端末部とを接着することで、照明ユニット４０は形成されている。照明ユニット４０において、ＬＥＤテープ４２の発光ダイオード４２２が点灯すると、発光ダイオード４２２の光が、光反射部材４１に当たって反射し半透明樹脂板４３に集められ、半透明樹脂板４３により面状に拡散させられる。
【００２０】
図１及び図２に示すように、バックカバー３０はファブリック、本革等のピースを縫い合わせて立体形状に形成したものであり、バックパッド２０の上に被せられた状態で、その周囲やバックパッド２０の縦溝部２６に対応する部分をバックパッド２０に固定して取付けられている。すなわち、バックカバー３０は、バックパッド２０のメイン部２１の前側表面部を覆うメイン部カバー３１と、サイド部２２の前側表面部を覆うサイド部カバー３２と、バックパッド２０の側面及び後面を覆う背面カバー３３と、を備えている。メイン部カバー３１及び背面カバー３３は主として本革製であるが、サイド部カバー３２は、メイン部カバー３１と同様に主として本革製である通常表皮３２１と、光透過性表皮３２２と、を縫い合わせて形成されている。
【００２１】
図３に示すように、サイド部カバー３２の光透過性表皮３２２は、布帛体３２２Ａと、発泡性樹脂シート３２２Ｂと、のラミネート構造であり、バックカバー３０をバックパッド２０に対して取付けた際にバックパッド２０の凹部２５の開口部２５１を覆うことができるように配置されている。このとき、前から布帛体３２２Ａ、発泡性樹脂シート３２２Ｂの順で位置される。布帛体３２２Ａは編物であり、繊維密度が通常のバックカバーに用いる編物の目よりも粗く、照明ユニット４０の発光ダイオード４２２の光の一部を透過可能に構成されている。また、発泡性樹脂シート３２２Ｂは白色の発泡ウレタン製であり、照明ユニット４０の発光ダイオード４２２の光の一部を透過可能な薄さ及び発泡率で構成されている。
【００２２】
図２に基づいて、照明ユニット４０の取付け方について説明する。まず、バックパッド２０の発泡成形後に、サイド部２２の前側表面部を掘り込んで凹部２５を形成する。次に、凹部２５の底面部２５２及び両側面部２５３に対して接着剤を塗布したのち、凹部２５内に半透明樹脂板４２が前方を向いた状態で照明ユニット４０を嵌め込んで接着する。そして、バックカバー３０をバックパッド２０に対して取付けて、バックカバー３０の光透過性表皮３２２により照明ユニット４０の半透明樹脂板４３の前方を覆う。
【００２３】
以上のように構成される本実施形態は、次のような作用効果を奏する。発光ダイオード４２２からの光が、半透明樹脂板４３によって面状に拡散させられたのちに、バックカバー３０の光透過性表皮３２２を透過して外部に放たれる。これによって、シート表面の一部を面状に光らせて意匠性を向上させることができる。また、自動車用シート１に着座した着座者の身体が半透明樹脂板４３の上に来た場合でも、光透過性表皮３２２の発泡性樹脂シート３２２Ｂにより着座者の身体が柔らかい感触で支えられることになる。このため、乗り心地悪化を抑制することができる。また、光反射部材４１による反射効果により発光ダイオード４２２の光が効率的に半透明樹脂板４３に集められるため、面状の光を効率的に明るくしてより意匠性を高めることができる。また、発光ダイオード４２２が凹部２５の両側面部２５３の底面部２５２寄りに配設されていることにより、発光ダイオード４２２が半透明樹脂板４３から離隔して位置されることになるため、半透明樹脂板４３をより均一に面発光させて意匠性をさらに高めることができる。
【００２４】
以上、特定の実施形態について説明したが、本発明は、それらの外観、構成に限定されず、本発明の要旨を変更しない範囲で種々の変更、追加、削除が可能である。
【００２５】
例えば、本実施形態においては、特に言及しなかったが、図３に示すように、シート外部に放たれる面状の光の色味を調節するために、照明ユニット４０の半透明樹脂板４３の前面部に色付きの光透過性樹脂フィルム４５を配設することもできる。なお、この色付きの光透過性樹脂フィルム４５は、半透明樹脂板４３の後面部に配設することもできるし、ＬＥＤテープ４２に発光ダイオード４２２を覆うように貼着することもできる。
【００２６】
また、本実施形態においては、凹部として、バックパッド２０の前側表面部に上下方向に延びる溝状の凹部２５を設ける構造を例示した。しかし、凹部の形状はこれに限定されず、例えばシート幅方向に延びる溝状であってもよいし、開口部が円や矩形等となる溝状以外の形状であってもよい。
【００２７】
また、本実施形態においては、光透過性表皮３２２の布帛体として、編物製の布帛体３２２Ａを用いる構造を示した。しかし、これに限定されない。すなわち、布帛体は編物製でなくても、発泡性樹脂シート３２２Ｂとラミネートしたときに発光ダイオード４２２から発せられる光の一部を透過させることができさえすれば、織物製であってもよいし、不織布製であってもよい。
【００２８】
また、本実施形態においては、照明ユニット４０の光反射部材として、白く塗装した樹脂製の光反射部材４１を用いる構造を例示した。しかし、これに限定されない。すなわち、例えば、光反射部材として、光沢のある金属部材を用いてもよいし、樹脂部材の底壁部４１２及び両側壁部４１３の内面部に対して光沢のある金属箔を貼着したものを用いてもよい。
【００２９】
また、本実施形態においては、バックパッド２０に凹部２５を形成する方法として、バックパッド２０の成形後に凹部２５に対応する部位を掘り込む方法を例示したが、これに限定されない。すなわち、例えば、バックパッド２０の成形型の凹部２５に対応する部位を凸としておいて、当該成形型を用いてバックパッド２０を発泡成形することにより、バックパッド２０の発泡成形と同時に凹部２５が形成される方法でもよい。
【００３０】
また、本実施形態においては、本発明をシートバック１０に適用したが、シートクッション２に適用してもよい。
【００３１】
また、本実施形態においては、本発明を自動車のシートに適用したが、飛行機、船、電車等に搭載されるシートに適用してもよい。
【符号の説明】
【００３２】
１          自動車用シート（乗物用シート）
２０        バックパッド（シートパッド）
２５        凹部
２５１      開口部
２５２      底面部
２５３      側面部
３０        バックカバー（シートカバー）
３２２      光透過性表皮
３２２Ａ    布帛体
３２２Ｂ    発泡性樹脂シート
４１        光反射部材
４２２      発光ダイオード
４３        半透明樹脂板
【図１】
2017013735.tif 000003
【図２】
2017013735.tif 000004
【図３】
2017013735.tif 000005